(57)【要約】【課題】低音域の音声の音質に優れた表示装置を提供する。【解決手段】表示装置（１）は、第１のウーハーボックス（３１）及び第２のウーハーボックス（３２）を備えている。第１のウーハーボックス（３１）及び第２のウーハーボックス（３２）のそれぞれは、音声出力方向が表示装置（１）の表示面に沿った方向に向き付けられている。【選択図】図２
2018129685.tif 000002
【特許請求の範囲】
【請求項１】
少なくとも２つのウーハーボックスを備えた表示装置であって、
上記ウーハーボックスは、音声出力方向が当該表示装置の表示面に沿った方向に向き付けられている
ことを特徴とする表示装置。
【請求項２】
上記ウーハーボックスは、当該表示装置の表示面に沿った方向に向き付けられた開口を有している
ことを特徴とする請求項１に記載の表示装置。
【請求項３】
上記ウーハーボックスは、当該表示装置の表示面に沿った方向を法線方向とする振動板を有している
ことを特徴とする請求項１に記載の表示装置。
【請求項４】
上記ウーハーボックスは、音声出力方向が当該表示装置の底面側に向けて向き付けられている
ことを特徴とする請求項１から３の何れか１項に記載の表示装置。
【請求項５】
当該表示装置は、
２つのサイドスピーカーを備え、
上記２つのウーハーボックスのそれぞれは、上記２つのサイドスピーカーのそれぞれに近接して配置されている
ことを特徴とする請求項１から４の何れか１項に記載の表示装置。
【請求項６】
請求項１から５の何れか１項に記載の表示装置を備えていることを特徴とするテレビジョン受像機。
【発明の詳細な説明】
【技術分野】
【０００１】
本発明は表示装置及びこの表示装置を備えたテレビジョン受像機に関する。
【背景技術】
【０００２】
テレビジョン受像機（以下、単に「テレビ」ともいう）として、中高音域の音声を再生するスピーカーと、低音域の音声を再生するウーハーとを備えたものが存在する。
【０００３】
このようなウーハーには、中高音域の音声を再生するスピーカーに比べ、比較的大きな容積のボックスが必要となる。そのため、薄型テレビの場合には、一般に、そのデザイン性及び薄さが損なわれないように、テレビ背面に薄型構造のウーハーボックスが搭載され、テレビ背面向きに低音域の音声が出力される。一方で、中高音域の音声を再生するスピーカーは、テレビの前面に前向き搭載されたり、テレビの底面に下向きに搭載されたりしている。
【０００４】
例えば特許文献１には、薄型パネルディスプレイテレビに取り付けられるスピーカー装置が記載されている。
【先行技術文献】
【特許文献】
【０００５】
【特許文献１】特開平１１−６９４７４号公報（１９９９年３月９日公開）
【発明の概要】
【発明が解決しようとする課題】
【０００６】
ところで上記従来のテレビには、次のような問題点があると考えられる。図７は従来のテレビの問題点を説明するための説明図である。
【０００７】
図７を参照して説明すると、テレビ７０の表示部７１の正面の両端側には、中高音域の音声を再生する第１のサイドスピーカー７２及び第２のサイドスピーカー７３が配置されている。一方、表示部７１の背面の中央付近には、ウーハーボックス７４が配置されている。ウーハーボックス７４には低音域を再生するスピーカーユニット（図示せず）が収納されている。
【０００８】
このような構成のテレビ７０において、第１のサイドスピーカー７２からの音声は、図中、細矢印で示すようにテレビ７０正面側の視聴者５０に直接届く。これに対して、ウーハーボックス７４からの低音域の音声は、テレビ７０の背面方向に向かって出力された後、図中、太矢印で示すようにテレビ７０の正面側へと回り込んでから視聴者５０に届く。これにより低音域の音声は中高音域の音声よりも遅延して視聴者に届くため、視聴者は、低音域の音声の音質が劣化したものと認識してしまう虞がある。このことは特に、テレビ７０の大型化・大画面化によって顕著になると考えられる。
【０００９】
本発明は上記の課題に鑑みてなされたものであり、その目的は、低音域の音声の音質に優れた表示装置及びこのような表示装置を備えたテレビジョン受像機を提供することにある。
【課題を解決するための手段】
【００１０】
上記の課題を解決するために、本発明の一態様に係る表示装置は、少なくとも２つのウーハーボックスを備えた表示装置であって、上記ウーハーボックスは、音声出力方向が当該表示装置の表示面に沿った方向に向き付けられていることを特徴とする。
【発明の効果】
【００１１】
本発明の一態様によれば、音声の回り込みを低減することによって、低音域の音声の音質に優れた表示装置を提供することができる。
【図面の簡単な説明】
【００１２】
【図１】本発明の実施形態１に係る表示装置を正面側から見たときの構成を模式的に示す模式図である。
【図２】図１に示した表示装置を背面側から見たときの構成を模式的に示す模式図である。
【図３】図１に示したウーハーボックスの構成を概略的に示す斜視図である。
【図４】図３に対応した図であって、ウーハーボックスの分解斜視図である。
【図５】本発明の実施形態１に係る表示装置の効果を説明するための説明図である。
【図６】本発明の実施形態２に係るウーハーボックスの構成を概略的に示す斜視図である。
【図７】従来のテレビの問題点を説明するための説明図である。
【発明を実施するための形態】
【００１３】
〔実施形態１〕
はじめに図１及び図２を参照して、本発明の一実施形態に係るウーハーボックスを備えた表示装置について説明する。
【００１４】
（表示装置）
図１は本発明の実施形態１に係る表示装置を正面側から見たときの構成を模式的に示す模式図である。図２は、図１に示した表示装置を背面側から見たときの構成を模式的に示す模式図である。
【００１５】
これらの図を参照して説明すると、本実施形態に係る表示装置１は、表示部１０を備えており、表示部１０の正面の両端側には、中高音域の音声を再生する第１のサイドスピーカー１１及び第２のサイドスピーカー１２が配置されている。一方、表示部１０の背面であって表示部１０の底面（図示せず）側には、低音域の音声を再生する第１のウーハーボックス３１及び第２のウーハーボックス３２が配置されている。尚、本明細書において、「音声」とは人の声に限定されず、搭載されたスピーカーが再生可能な帯域の音も含む。第１のウーハーボックス３１及び第２のウーハーボックス３２のそれぞれは、第１のサイドスピーカー１１及び第２のサイドスピーカー１２のそれぞれに近接して配置されている。尚、これによる効果については後述する。
【００１６】
（ウーハーボックス）
続いて、図２に示したウーハーボックスについて説明する。尚、図２に示したように、第１のウーハーボックス３１及び第２のウーハーボックス３２は、表示装置１の背面視において左右反対になる対称構造を有しており、これらの構造は基本的には共通する。そこで説明の便宜上、以下では第１のウーハーボックス３１（以下、単に「ウーハーボックス３１」ともいう）の構成を中心として説明する。
【００１７】
図３は、図１に示したウーハーボックスの構成を概略的に示す斜視図である。図４は、図３に対応した図であって、ウーハーボックスの分解斜視図である。
【００１８】
これらの図を参照して説明すると、本実施形態に係るウーハーボックス３１は、バスレフ型スピーカー用のウーハーボックスとして構成されている。ウーハーボックス３１は、前キャビネット３５と後キャビネット３６とを備えおり、これらはネジ等の固定部材（図示せず）によって一体化されている。尚、前キャビネット３５、後キャビネット３６を構成する材質は特に限定されるものではなく、例えば合成樹脂及び木材等を用いることができる。このうち好ましい材質としては、例えば高剛性な樹脂としてＡＢＳ材等が挙げられる。
【００１９】
ウーハーボックス３１は、音声出力方向が表示装置１の表示面１３（図１参照）に沿った方向であって、表示装置１の底面側に向けて向き付けられている。より詳細には、ウーハーボックス３１は、表示装置１の表示面１３に沿った方向に向き付けられた第１の開口４５及び第２の開口４６を有している。これら２つの開口を設けたことによる効果については後述する。
【００２０】
ウーハーボックス３１の内部には、スピーカーユニット４０が配置されている。スピーカーユニット４０は、第１のスピーカー部材４０１及び第２のスピーカー部材４０２を備えている。第１のスピーカー部材４０１と第２のスピーカー部材４０２とは、それらの音波の放射面（図示せず）側が互いに対向するようにして配置されている。このように配置することで、本実施形態ではスピーカーユニット４０自体による振動をキャンセルすることができる。スピーカーユニット４０が再生する音声は、第１の開口４５から出力される。
【００２１】
ウーハーボックス３１には更に、前キャビネット３５と後キャビネット３６とが一体化することによって構成されるバスレフダクト（バスレフポートともいう）４８が設けられている。これによりスピーカーユニット４０の背面に放射される音波の一部は、バスレフダクト４８を通ることが可能となる。そしてバスレフダクト４８に通じる第２の開口４６からは、スピーカーユニット４０によって再生される音声の一部が出力される。本実施形態によれば、このように開口４６を設けることによって、スピーカーユニット４０からの低音域の音声を増強させることができる。
【００２２】
（実施形態１による効果）
続いて、実施形態１に係る表示装置の効果について説明する。図５は、本発明の実施形態１に係る表示装置の効果を説明するための説明図である。
【００２３】
図５を参照して説明すると、表示装置１において第１のウーハーボックス３１は上述したような構成を備えているため、第１のウーハーボックス３１の第１の開口４５及び第２の開口４６（図３参照）から出力された低音域の音声は、図５中、太矢印で示すように、表示面１３に沿って出力された後、表示部１０の底面（図示せず）側を回り込んでから視聴者５０に届く。これにより、図５中、第１のサイドスピーカー１１からの中高音域の音声が視聴者５０に届くまで（この様子を図５中、細矢印で示す）の時間と、低音域の音声が視聴者５０に届くまでの時間との時間差が短くなる。そのため、中高音域の音声に対する低音域の音声の遅延による音質劣化を低減し、音質を向上させることができる。又、音声の回り込みの程度が少ないため、回り込みによる低音域の音声の音量減少も低減される。尚、このことは、第２のウーハーボックス３２及び第２のサイドスピーカー１２の関係においても同様である。
【００２４】
又、表示装置１によれば、第１のウーハーボックス３１及び第２のウーハーボックス３２のそれぞれは、第１のサイドスピーカー１１及び第２のサイドスピーカー１２のそれぞれに近接して配置されているため、上述した低音域の音声の遅延がより生じに難い。
【００２５】
更に、表示装置１によれば、第１のウーハーボックス３１及び第２のウーハーボックス３２から出力される低音域の音声は、それぞれ表示面１３に沿って出力されるため、表示装置１は、表示装置１の背面側の環境の影響を受けにくくなる。従って、例えば表示装置１を図示しない壁際に設置しても、低音域の音声が壁に反射されて低音が豊かになる、強調気味になる等の問題が生じる虞は少なくなる。又、表示装置１を壁から離して設置しても、低音域の音声の音量が少なくなってしまう等の問題が生じる虞も少なくなる。それゆえ、表示装置１によれば、第１のウーハーボックス３１及び第２のウーハーボックス３２をそれぞれ表示部１０の背面側に設けることによって、表示装置１の音質及びデザイン性の両方を向上させることができる。
【００２６】
尚、本実施形態では、２つのウーハーボックスを備えた表示装置１について説明したが、本発明に係る表示装置は、２つよりも多い数のウーハーボックスを備えていてもよい。
【００２７】
又、本実施形態では、ウーハーボックスが特定の開口を有することによって、ウーハーボックスの音声出力方向が表示装置の表示面に沿った方向に向き付けられる構成としたが、これに限定されず、他の構成によってウーハーボックスの音声出力方向が表示装置の表示面に沿う方向に向き付けられるようにしてもよい。
【００２８】
更に、本実施形態では、ウーハーボックス３１において、バスレフダクト４８に通じる第２の開口４６の音声出力方向は、スピーカーユニット４０に通じる第１の開口４５の音声出力方向と同一面側に設けられているが、このような構成に限定されるものではなく、少なくとも第１の開口４５及び第２の開口４６音声出力方向が、それぞれ表示装置１の表示面１３に沿った方向に向き付けられていれば、それらの開口は互いに異なる面に設けられていてもよい。
【００２９】
更に、本実施形態では、ウーハーボックス３１において、第１の開口４５及び第２の開口４６は、それぞれ表示装置１の底面側に向けて向き付けられているが、このような構成に限定されるものではない。従って例えば、第１の開口４５及び第２の開口４６は、例えば表示装置１の上面側又は側面側に向き付けられた構成としてもよい。
【００３０】
更に、本実施形態では、第１のウーハーボックス３１及び第２のウーハーボックス３２は、第１のサイドスピーカー１１及び第２のサイドスピーカー１２にそれぞれ近接して配置されているが、このような配置に限定されるものではない。ウーハーボックスとサイドスピーカーとが近接するほど、１点から音声が再生されるスピーカーのような、いわゆる点音源化を実現することができる。
【００３１】
更に、本実施形態では、スピーカーユニット４０において第１のスピーカー部材４０１及び第２のスピーカー部材４０２が対向配置された構成を示したが、これに限定されるものではなく、スピーカーユニット４０に代えて一般的に使用されるスピーカーを適用してもよい。更に、本実施形態に係るウーハーボックスは、密閉型スピーカー用としてもよい。
【００３２】
〔実施形態２〕
本発明の他の実施形態について、更に図６を加えて説明すれば以下の通りである。尚、説明の便宜上、前記実施形態にて説明した部材と同じ機能を有する部材については、同じ符号を付記し、その説明を省略する。
【００３３】
本実施形態に係るウーハーボックスは、パッシブラジエータ型スピーカー用のウーハーボックスとして構成されている。図６は、本発明の実施形態２に係るウーハーボックスの構成を概略的に示す斜視図である。
【００３４】
図６を参照して説明すると、本実施形態２に係るウーハーボックス６１は、前キャビネット６５と後キャビネット６６とを備えており、これらはネジ等の固定部材（図示せず）によって一体化されている。ウーハーボックス６１の内部にはスピーカーユニット４０が配置されている。
【００３５】
本実施形態２に係るウーハーボックス６１も、実施形態１に係る第１のウーハーボックス３１（図３等参照）と同様に、音声出力方向が表示装置１の表示面１３に沿った方向に向き付けられるように構成されている。具体的には、ウーハーボックス６１は、図６に示すように、表示装置１の表示面１３（図１参照）に沿った方向であって、表示装置１の底面（図示せず）側に向き付けられる第１の開口７５を有している。
【００３６】
本実施形態に係るウーハーボックス６１は更に、表示装置１の表示面１３に沿った方向を法線方向とする振動板７６を有している。
【００３７】
このような構成のウーハーボックス６１において、ウーハーボックス６１内でスピーカーユニット４０が音圧を発生すると、この音圧によって振動板７６が振動する。そのため、ウーハーボックス６１によれば、振動板７６を振動させることによって、低音域の音声を増強させることができる。
【００３８】
このように、実施形態１で示した第２の開口４６（図３等参照）に代えて振動板７６を設けても、実施形態１と同様に、中高音域の音声に対する低音域の音声の遅延を低減し、音質を向上させることができる。
【００３９】
尚、本実施形態に係る振動板７６は円形状であるが、これに限定されず、振動板は例えば楕円形状等の他の形状であってもよい。振動板７６の素材は特に限定されず、例えば一般に使用される紙素材や樹脂素材・金属素材等が挙げられる。
【００４０】
〔実施形態３〕
本発明の第３の実施形態において、テレビジョン受像機（図示せず）は、表示装置（図１等参照）とチューナー（図示せず）とを備えている。
【００４１】
このような構成によれば、テレビジョン受像機は、表示装置１の効果によって低音域の音声の音質が優れたものとなる。
【００４２】
又、このようなテレビジョン受像機において、例えばウーハーボックス３１の音声出力方向が表示装置１の底面側に向き付けられている場合には、ウーハーボックス３１と、テレビジョン受像機を設置する台や床等の設置面（図示せず）との間の距離を常に一定に保つことができる。これによれば、設置面によって反射される低音域の音声は一定になるため、テレビジョン受像機の設置環境に左右されにくく、安定した低音域の音質が保証されたテレビジョン受像機を提供することができる。
【００４３】
〔まとめ〕
本発明の態様１に係る表示装置１は、少なくとも２つのウーハーボックスとして第１のウーハーボックス３１及び第２のウーハーボックス３２を備えた表示装置１であって、第１のウーハーボックス３１及び第２のウーハーボックス３２は、音声出力方向が表示装置１の表示面１３に沿った方向に向き付けられている。
【００４４】
上記の構成によれば、第１のウーハーボックス３１及び第２のウーハーボックス３２によって再生される低音域の音声は、表示装置１の表示面１３に沿った方向に出力される。これにより、低音域の音声の回り込みによる音質劣化及び音量減少を低減することができる。
【００４５】
本発明の態様２に係る表示装置１は、上記態様１において、第１のウーハーボックス３１及び第２のウーハーボックス３２は、表示装置１の表示面１３に沿った方向に向き付けられた第１の開口４５及び第２の開口４６を有していてもよい。
【００４６】
上記の構成によれば、低音域の音声は第１の開口及び第２の開口４６の２つの開口から表示装置１の表示面１３に沿った方向に出力されるため、低音域の音声が増強される。
【００４７】
本発明の態様３に係る表示装置１は、上記態様１又は２において、ウーハーボックス６１は、表示装置１の表示面１３に沿った方向を法線方向とする振動板７６を有していてもよい。
【００４８】
上記の構成によれば、振動板７６を振動させることによって、低音域の音声を増強させることができる。
【００４９】
本発明の態様４に係る表示装置１は、上記態様１〜３のいずれか１つにおいて、第１のウーハーボックス３１及び第２のウーハーボックス３２は、音声出力方向が表示装置１の底面側に向けて向き付けられていてもよい。
【００５０】
上記の構成によれば、表示装置と表示装置の設置面との距離を一定に保つことができるため、安定した低音域の音質が保証されたテレビジョン受像機を提供することができる。
【００５１】
本発明の態様５に係る表示装置１は、上記態様１〜４のいずれか１つにおいて、第１のサイドスピーカー１１及び第２のサイドスピーカー１２を備え、第１のウーハーボックス３１及び第２のウーハーボックス３２のそれぞれは、第１のサイドスピーカー１１及び第２のサイドスピーカー１２のそれぞれに近接して配置されていてもよい。
【００５２】
上記の構成によれば、中高音域の音声に対する低音域の音声の遅延がより低減されるため、さらに音質を向上させることができる。
【００５３】
本発明の態様６に係るテレビジョン受像機は、上記態様１〜５のいずれか１つに係る表示装置１を備えていてもよい。
【００５４】
上記の構成によれば、テレビジョン受像機は表示装置１を備えているため、低音域の音声の音質が向上したテレビジョン受像機を提供することができる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００５６】
１  表示装置
１１  第１のサイドスピーカー
１２  第２のサイドスピーカー
１３  表示面
３１  第１のウーハーボックス
３２  第２のウーハーボックス
４５  第１の開口
４６  第２の開口
７５  第１の開口
７６  振動板
【図１】
2018129685.tif 000003
【図２】
2018129685.tif 000004
【図３】
2018129685.tif 000005
【図４】
2018129685.tif 000006
【図５】
2018129685.tif 000007
【図６】
2018129685.tif 000008
【図７】
2018129685.tif 000009